(57)【要約】【課題】妻梁から雨だれとなって水が外部に漏出する事態を防止する。【解決手段】建築物の外壁面から突出するように設けた２つの妻梁１１と、２つの妻梁１１の互いに対向する内方側面１１ａの間に配設したデッキ材１３と、妻梁１１の内方側面１１ａに固定部材１５，１６を螺合することにより妻梁１１に配設し、妻梁１１とデッキ材１３との間に妻樋６０を構成する妻樋部材７０とを備えたバルコニー１において、妻樋６０の内部に露出する固定部材１５，１６及びその上方部を覆う位置にカバー部材８０が設けられている。【選択図】図４
2018017068.tif 000002
【特許請求の範囲】
【請求項１】
建築物の外壁面から突出するように設けた２つの妻梁と、前記２つの妻梁の互いに対向する内方側面の間に配設したデッキ材と、前記妻梁と前記デッキ材との間に妻樋を構成する妻樋部材とを備えたバルコニーにおいて、
前記妻樋部材は、固定部材によって前記妻梁に取り付けられており、前記妻樋部材には、前記固定部材を覆うカバー部材が設けられていることを特徴とするバルコニー。
【請求項２】
前記妻樋部材には、前記固定部材部材よりも上方となる部位に上方係止片が設けられているとともに、前記固定部材部材よりも下方となる部位に下方係止片が設けられており、
前記カバー部材は、これら上方係止片及び下方係止片を介して前記妻樋部材に着脱可能に係止されていることを特徴とする請求項１に記載のバルコニー。
【請求項３】
前記妻樋部材は、一対の側壁部と、これら一対の側壁部の下端部の間を連結する底壁部とによって妻樋を構成したものであり、
前記妻樋は、前記妻樋部材の両端部に樋キャップを装着することによって両端が閉塞され、かつ前記妻樋部材の底壁部に排水孔を有したものであり、
前記下方係止片には、前記妻樋の内部において前記樋キャップの上縁よりも下方となる位置に前記カバー部材が係止されていることを特徴とする請求項２に記載のバルコニー。
【請求項４】
前記妻樋部材は、前記側壁部の一方から上方に突出した取付壁部を有し、前記取付壁部を介して前記妻梁に固定部材によって取り付けられており、
前記妻梁には、前記内方側面から突出して前記取付壁部の上端を覆うカバーヒレ部が設けられていることを特徴とする請求項３に記載のバルコニー。
【請求項５】
前記妻樋部材は、一対の側壁部と、これら一対の側壁部の下端部の間を連結する底壁部との間に妻樋を構成したものであり、
前記妻梁の内方側面に対向する前記側壁部の一方と前記底壁部との出隅部には、上方に向けて前記内方側面に漸次近接する傾斜面が設けられていることを特徴とする請求項１に記載のバルコニー。
【請求項６】
前記カバー部材は、前記妻梁と前記デッキ材との隙間の上方部を覆う樋カバー板を有していることを特徴とする請求項１に記載のバルコニー。
【発明の詳細な説明】
【技術分野】
【０００１】
本発明は、バルコニーに関するものである。
【背景技術】
【０００２】
屋根を有していないバルコニーでは、デッキ材と左右の妻梁との間に妻樋が設けられており、デッキ材の上面から流れ落ちる雨水等の水を受け止めるようにしている。妻樋は、一対の側壁部と、これら側壁部の下端部間を連結する底壁部とを有した妻樋部材を妻梁の内方側面に取り付けることによって構成されている。底壁部は、妻梁とデッキ材との隙間よりも大きな幅を有しており、妻梁の内方側面からデッキ材の下面を覆う位置まで延在されている。デッキ材の下方に位置する側壁部は、上端部がデッキ材の下面に当接されている。もう一方の側壁部は、妻梁の内方側面に沿って延在し、妻梁にネジやボルト等の固定部材を螺合することによって妻梁に接合されている。この妻樋を備えるバルコニーでは、デッキ材の上面から流れ落ちた雨水等の水が妻樋に受け止められ、さらに妻樋に接続した呼び樋及び縦樋を伝って地表に案内されるため、デッキ材の下方へ滴下するような事態を防止することができる（例えば、特許文献１参照）。
【先行技術文献】
【特許文献】
【０００３】
【特許文献１】特開２００４−２２５４５７号公報
【発明の概要】
【発明が解決しようとする課題】
【０００４】
ところで、妻樋の内部には、上述したように、妻樋部材を取り付けるためのネジやボルト等の固定部材が露出している場合がある。また、妻梁を躯体に取り付けるための固定部材や妻梁と前桁との間を連結する固定部材が露出していることもある。デッキ材の上面から妻樋に流れ落ちる水や妻梁を伝って妻樋に至る水が固定部材に接触した場合には、その水が妻樋との隙間から固定部材の軸部を伝って妻梁の内部に浸入するおそれがある。妻梁の内部に水が浸入すると、妻梁と躯体や前桁との接合部から雨だれとなって外部に漏出する事態を招来する原因となる。
【０００５】
本発明は、上記実情に鑑みて、妻梁から雨だれとなって水が外部に漏出する事態を防止することのできるバルコニーを提供することを目的とする。
【課題を解決するための手段】
【０００６】
上記目的を達成するため、本発明に係るバルコニーは、建築物の外壁面から突出するように設けた２つの妻梁と、前記２つの妻梁の互いに対向する内方側面の間に配設したデッキ材と、前記妻梁と前記デッキ材との間に妻樋を構成する妻樋部材とを備えたバルコニーにおいて、前記妻樋部材は、固定部材によって前記妻梁に取り付けられており、前記妻樋部材には、前記固定部材を覆うカバー部材が設けられていることを特徴とする。
【０００７】
この発明によれば、妻樋の内部に露出するネジやボルト等の固定部材がカバー部材によって覆われるため、妻梁の内部に水が浸入する事態を阻止し、外部へ漏水する事態を未然に防止することができる。
【０００８】
また本発明は、上述したバルコニーにおいて、前記妻樋部材には、前記固定部材部材よりも上方となる部位に上方係止片が設けられているとともに、前記固定部材部材よりも下方となる部位に下方係止片が設けられており、前記カバー部材は、これら上方係止片及び下方係止片を介して前記妻樋部材に着脱可能に係止されていることを特徴とする。
【０００９】
この発明によれば、妻樋部材に対してカバー部材を着脱することができるため、妻樋の内部を清掃する等のメインテナンス作業を容易に行うことが可能となる。
【００１０】
また本発明は、上述したバルコニーにおいて、前記妻樋部材は、一対の側壁部と、これら一対の側壁部の下端部の間を連結する底壁部とによって妻樋を構成したものであり、前記妻樋は、前記妻樋部材の両端部に樋キャップを装着することによって両端が閉塞され、かつ前記妻樋部材の底壁部に排水孔を有したものであり、前記下方係止片には、前記妻樋の内部において前記樋キャップの上縁よりも下方となる位置に前記カバー部材が係止されていることを特徴とする。
【００１１】
この発明によれば、下方係止片の上部に雨水等の水が溜まったとしても、この水の排出先が妻樋の内部となるため、デッキ材の下方への漏水を招来することがない。
【００１２】
また本発明は、上述したバルコニーにおいて、前記妻樋部材は、前記側壁部の一方から上方に突出した取付壁部を有し、前記取付壁部を介して前記妻梁に固定部材によって取り付けられており、前記妻梁には、前記内方側面から突出して前記取付壁部の上端を覆うカバーヒレ部が設けられていることを特徴とする。
【００１３】
この発明によれば、カバーヒレ部によって取付壁部の上端が覆われているため、取付壁部と妻梁との隙間に雨水等の水が浸入するおそれがなく、妻梁と妻樋部材との接合部から下方へ漏水する事態を招来することがない。
【００１４】
また本発明は、上述したバルコニーにおいて、前記妻樋部材は、一対の側壁部と、これら一対の側壁部の下端部の間を連結する底壁部とによって妻樋を構成したものであり、前記妻梁の内方側面に対向する前記側壁部の一方と前記底壁部との出隅部には、上方に向けて前記内方側面に漸次近接する傾斜面が設けられていることを特徴とする。
【００１５】
この発明によれば、下方から見た場合、傾斜面の作用により妻梁の内方側面と妻樋部材の側壁部との間に当初から隙間が存在するように認識され得る。従って、仮にデッキ材が反る等して妻樋部材の側壁部が妻梁の内方側面から離隔するような事態が生じたとしても、外観品質が大きく損なわれるおそれがない。
【００１６】
また本発明は、上述したバルコニーにおいて、前記カバー部材は、前記妻梁と前記デッキ材との隙間の上方部を覆う樋カバー板を有していることを特徴とする。
【００１７】
この発明によれば、妻樋に落ち葉等の大きな異物が進入する事態を防止することができるため、妻樋に目詰まりを来すおそれがなくなる。
【発明の効果】
【００１８】
本発明によれば、妻樋の内部に露出する固定部材がカバー部材によって覆われるため、妻梁の内部に水が浸入する事態を阻止し、外部へ漏水する事態を未然に防止することができる。
【図面の簡単な説明】
【００１９】
【図１】図１は、本発明の実施の形態であるバルコニーの外観を示す側面図である。
【図２】図２は、図１に示したバルコニーのデッキ部を示す縦断面側面図である。
【図３】図３は、図１に示したバルコニーのデッキ部を示す縦断面正面図である。
【図４】図４は、図３に示したバルコニーの要部拡大図である。
【図５】図５は、図３に示したバルコニーからカバー部材を取り外した状態の要部拡大図である。
【図６】図６は、図３に示したバルコニーの要部をさらに拡大した図である。
【発明を実施するための形態】
【００２０】
以下、添付図面を参照しながら本発明に係るバルコニーの好適な実施の形態について詳細に説明する。
図１〜図３は、本発明の実施の形態であるバルコニーを示したものである。ここで例示するバルコニー１は、建築物の外壁面から突出するように設けたデッキ部１０と、デッキ部１０の周囲上面に設けた手摺り部２０とを備えて構成したものである。デッキ部１０は、建築物から突出するように設けた左右の妻梁１１と、妻梁１１の先端部間に取り付けた前桁１２と、これら妻梁１１及び前桁１２によって囲まれる矩形領域１０Ａに配設したデッキ材１３とを備えて構成したものである。本実施の形態のデッキ部１０は、ブラケット３０及び躯体取付用部材４０を介して建築物の躯体である胴差しＢの外側表面に取り付けてある。なお、以下においては便宜上、妻梁１１及び前桁１２において矩形領域１０Ａに臨む面を内方側面１１ａ，１２ａと称して説明を行う。
【００２１】
ブラケット３０は、デッキ部１０と胴差しＢとの間に介在する構造体である。本実施の形態では、矩形の平板状を成す取付板部３１と、取付板部３１の一方の表面から突出した支持アーム部３２と、支持アーム部３２に外装した角筒状の外装部材３３とを有したブラケット３０を適用している。取付板部３１及び支持アーム部３２は、それぞれ鋼材によって成形してあり、互いの間が溶接によって接合してある。外装部材３３は、アルミニウム合金等の金属によって成形したものである。
【００２２】
躯体取付用部材４０は、ブラケット３０の取付板部３１と胴差しＢとの間に介在する部材であり、胴差しＢの上下方向に沿った寸法とほぼ同じ幅で、左右に長手となる矩形の外形に構成してある。本実施の形態では、アルミニウム合金等の金属によって成形した押し出し形材から成る躯体取付用部材４０を適用している。躯体取付用部材４０の両端部には、それぞれカバーキャップ４１が装着してある。
【００２３】
この躯体取付用部材４０は、ブラケット３０を介して胴差しＢにボルト部材４２を挿通し、端部にナット部材（図示せず）を螺合することによってブラケット３０ともに胴差しＢに固定してある。躯体取付用部材４０には、基端部を介して根太５０が取り付けてある。根太５０は、その上面がブラケット３０における外装部材３３の上面とほぼ同じ位置となるように配設してある。
【００２４】
妻梁１１及び前桁１２は、アルミニウム合金等の金属によって成形した押し出し形材であり、それぞれが長手の全長に渡ってほぼ一様な断面形状を有するように構成してある。本実施の形態では、中空の角筒状に構成した妻梁１１及び前桁１２を適用している。これら妻梁１１及び前桁１２は、個々の内部に配設した連結ブラケット１４に固定部材１５を螺合することによって互いの間が連結してある。固定部材１５は、妻梁１１及び前桁１２に対してそれぞれの内方側面１１ａ，１２ａから個々の内部の連結ブラケット１４に螺合してある。妻梁１１の基端部は、それぞれ躯体取付用部材４０の両端部に取り付けてある。妻梁１１には、それぞれの内方側面１１ａの上端部にカバーヒレ部１１ｂが設けてある。カバーヒレ部１１ｂは、内方側面１１ａから矩形領域１０Ａに向けてほぼ水平に突出した後、下方に向けてほぼ直角に屈曲したもので、妻梁１１の全長にわたって形成してある。
【００２５】
デッキ材１３は、ブラケット３０の上面及び根太５０の上面にほぼ水平となるように載置したものである。デッキ材１３の左右両端部は、それぞれ妻梁１１の内方側面１１ａから離隔した位置に配置してある。図４〜図６に示すように、デッキ材１３と妻梁１１との間の下方には、それぞれ妻樋６０が構成してある。妻樋６０は、妻梁１１の内方側面１１ａに妻樋部材７０を取り付けることによって構成した上方に開口する凹所であり、妻梁１１の長手に沿って延在している。
【００２６】
本実施の形態では、一対の側壁部７１，７２と、これら一対の側壁部７１，７２の下端部の間を連結する底壁部７３と、一方の側壁部（以下、区別する場合に外側壁部７１という）から上方に突出するように延在した取付壁部７４とをアルミニウム合金等の金属によって一体に成形した妻樋部材７０を適用している。妻樋部材７０は、両端部に樋キャップ７５を備えている。樋キャップ７５は、その上縁７５ａが側壁部７１，７２の上縁よりもわずかに上方となるように構成したもので、妻樋６０の両端を閉塞している。図２に示すように、妻樋部材７０の底壁部７３には、排水孔７３ａが設けてある。
【００２７】
また、妻樋部材７０の他方の側壁部（以下、区別する場合に内側壁部７２という）には、支持ヒレ部７２ａが設けてある。支持ヒレ部７２ａは、内側壁部７２の上端部において外側壁部７１に対向する内壁面から外側壁部７１に向けてほぼ水平に延在した後、上方に向けて屈曲したものである。
【００２８】
この妻樋部材７０は、取付壁部７４を妻梁１１の内方側面１１ａに当接させ、かつ内側壁部７２の上端部及び支持ヒレ部７２ａの上端部をデッキ材１３の下面に当接させ、取付壁部７４を介して内方側面１１ａに固定部材１６を螺合することによって妻梁１１に取り付けてある。妻樋部材７０の両端に位置する部分においては、前桁１２と妻梁１１との間を連結する固定部材１５によって連結ブラケット１４に共締めしてある。取付壁部７４の上端部は、妻梁１１の内方側面１１ａとカバーヒレ部１１ｂとの間においてカバーヒレ部１１ｂの下面に当接した状態にある。つまり、妻梁１１と妻樋部材７０との間の隙間は、上部がカバーヒレ部１１ｂによって覆われた状態にあり、外部に露出していない。なお、妻樋部材７０の排水孔７３ａには、呼び樋２及び縦樋３が接続してある。
【００２９】
図からも明らかなように、妻樋部材７０には、取付壁部７４と外側壁部７１との間に段差ａが設けてあるとともに、外側壁部７１と底壁部７３との出隅部に突条部７６及び傾斜面７７が設けてある。段差ａは、取付壁部７４を妻梁１１の内方側面１１ａに当接させた場合に外側壁部７１と内方側面１１ａとの間に一定の隙間が確保されるように構成してある。突条部７６は、外側壁部７１の下端部から妻梁１１の内方側面１１ａに向けて突出した部分であり、妻樋部材７０の長手に沿った全長に設けてある。この突条部７６は、取付壁部７４を内方側面１１ａに当接させた場合に、突出縁部が内方側面１１ａに当接するように構成してある。傾斜面７７は、底壁部７３から上方に向けて漸次内方側面１１ａに近接するように構成したものである。傾斜面７７の上端部は、突条部７６まで連続し、妻梁１１の内方側面１１ａに達している。
【００３０】
また、妻樋部材７０には、取付壁部７４において固定部材１５，１６よりも上方となる部位に上方係止片７８が設けてあり、外側壁部７１の上縁部に下方係止片７９が設けてある。上方係止片７８は、取付壁部７４から矩形領域１０Ａに向けてほぼ水平に突出した後、下方に向けてわずかに屈曲し、さらに矩形領域１０Ａに向けて漸次下方に傾斜延在した弾性を有する舌片状部分である。下方係止片７９は、外側壁部７１から矩形領域１０Ａに向けてほぼ水平に突出した水平部７９ａと、水平部７９ａの突出端部から上下に沿って延在する鉛直部７９ｂとを有して構成してある。下方係止片７９の水平部７９ａ及び鉛直部７９ｂは、いずれも樋キャップ７５の上縁７５ａよりも下方に位置するように構成してある。
【００３１】
これら上方係止片７８及び下方係止片７９には、カバー部材８０が着脱可能に装着してある。カバー部材８０は、妻樋部材７０と同様、アルミニウム合金等の金属によって成形したもので、妻樋部材７０の全長にわたる部位に配設してある。本実施の形態では、樋カバー板８１及び固定部材カバー板８２を一体に成形したカバー部材８０を適用している。樋カバー板８１は、妻梁１１の内方側面１１ａとデッキ材１３の端面との隙間よりも大きな幅を有した平板状を成す主樋カバー部８１ａと、主樋カバー部８１ａの両側縁部に設けた折曲部８１ｂ，８１ｃとを有している。折曲部８１ｂ，８１ｃは、主樋カバー部８１ａからそれぞれ同一の方向に向けてほぼ直角に屈曲するように延在した後、互いに対向する方向に向けてほぼ直角に屈曲した部分である。固定部材カバー板８２は、一方の折曲部８１ｂに連続するように設けたもので、傾斜板部８２ａ及び主固定部材カバー部８２ｂを有している。傾斜板部８２ａは、一方の折曲部８１ｂから他方の折曲部８１ｃに向けて漸次主樋カバー部８１ａから離隔するように傾斜延在した平板状部分である。主固定部材カバー部８２ｂは、傾斜板部８２ａの延在端部から主樋カバー部８１ａに対してほぼ直交する方向に延在した平板状部分である。
【００３２】
このカバー部材８０は、図６に示すように、樋カバー板８１の一方の折曲部８１ｂを妻樋部材７０の取付壁部７４に当接させるとともに、傾斜板部８２ａを妻樋部材７０の上方係止片７８に当接させた場合、樋カバー板８１の延在端部がデッキ材１３の上部を覆う位置まで延在することになる。このとき、カバー部材８０の固定部材カバー板８２は、傾斜板部８２ａの延在端部が取付壁部７４に螺合した固定部材１５，１６の頭部を超える位置まで突出し、かつ主固定部材カバー部８２ｂが固定部材１５，１６の頭部を通過して下方係止片７９の鉛直部７９ｂを超える位置まで延在している。
【００３３】
主固定部材カバー部８２ｂの延在端部には、押圧片部８２ｃ及び係止突片８３が設けてある。押圧片部８２ｃは、下方係止片７９の鉛直部７９ｂを超える位置に設けた湾曲状を成す部分であり、鉛直部７９ｂに向けて凸となるように形成してある。係止突片８３は、鉛直部７９ｂよりも上方となる部位から取付壁部７４に向けてほぼ水平に延在した上片部８３ａと、上片部８３ａの延在端部から下方に向けてほぼ直角に屈曲した挟持片部８３ｂと、挟持片部８３ｂの下端から下方に向けて漸次外側壁部７１に近接するように傾斜延在した傾斜片部８３ｃとを有して構成してある。挟持片部８３ｂは、主固定部材カバー部８２ｂとの間に鉛直部７９ｂを挟持することのできる隙間を確保するように形成してある。
【００３４】
上記の構成を有したカバー部材８０は、主固定部材カバー部８２ｂと挟持片部８３ｂとの間に鉛直部７９ｂの上端部を挿入すると、押圧片部８２ｃが鉛直部７９ｂの下端部に押圧されることになり、これら押圧片部８２ｃ及び係止突片８３によって下方係止片７９に係止された状態となる。このとき、樋カバー板８１の一方の折曲部８１ｂが妻樋部材７０の取付壁部７４に当接するとともに、傾斜板部８２ａが妻樋部材７０の上方係止片７８に当接された状態となる。従って、このカバー部材８０を適用するバルコニー１によれば、樋カバー板８１によって妻樋６０の上方部が覆われた状態となり、落ち葉等の異物が妻樋６０の内部に進入する事態を防止することができる。
【００３５】
仮に、妻樋６０の内部に異物が進入したとしても、樋カバー板８１を介してカバー部材８０を引き上げれば、押圧片部８２ｃや係止突片８３が適宜変形することで鉛直部７９ｂとの係止状態が解除されるため、図５に示すように、カバー部材８０を取り外すことができる。従って、このバルコニー１では、妻樋６０を開放することによって内部に進入した異物を容易に除去することができ、呼び樋２や縦樋３が目詰まりする事態を未然に防止することが可能である。
【００３６】
図からも明らかなように、樋カバー板８１とデッキ材１３の上面との間には隙間が確保してある。本実施の形態では、熱伸び等の要因によってデッキ材１３が反り上がった場合にも、カバー部材８０の樋カバー板８１とデッキ材１３の端部とが互いに干渉しないように樋カバー板８１とデッキ材１３の上面との間の隙間寸法が設定してある。このため、デッキ材１３の上面から流れ落ちる雨水等の水は、妻樋６０によって確実に受け止められることになり、その後、呼び樋２及び縦樋３を通じて地表に案内されるため、デッキ材１３の下方へ滴下するような事態を招来するおそれはない。しかも、妻樋６０の内部に露出する固定部材１５，１６は、カバー部材８０の固定部材カバー板８２によって覆われた状態にあり、デッキ材１３から妻樋６０に流れ落ちる水が固定部材１５，１６の頭部に接触することがない。また、取付壁部７４の上端部は、妻梁１１の内方側面１１ａとカバーヒレ部１１ｂとの間においてカバーヒレ部１１ｂの下面に当接し、妻梁１１と妻樋部材７０との隙間がカバーヒレ部１１ｂによって覆われた状態にある。これらの結果、このバルコニー１によれば、固定部材１５，１６の軸部を伝って妻梁１１の内部に水が浸入するおそれがなくなり、妻梁１１と胴差しＢや前桁１２との接合部から外部に漏水する事態を招来することもない。上述したように、下方係止片７９の水平部７９ａ及び鉛直部７９ｂは、いずれも樋キャップ７５の上縁７５ａよりも下方に位置するように構成してある。従って、仮に水平部７９ａの上部に水が溜まったとしても、この水の排出先は妻樋６０の内部となるため、デッキ材１３の下方への滴下する事態を招来することがない。
【００３７】
さらに、上述したバルコニー１では、妻樋部材７０において外側壁部７１と底壁部７３との出隅部に傾斜面７７が設けてあるため、下方からバルコニー１を見た場合、妻梁１１の内方側面１１ａと妻樋部材７０の外側壁部７１との間に当初から隙間が存在するように認識され得る。従って、仮にデッキ材１３の熱反りに起因して妻樋部材７０の外側壁部７１が妻梁１１の内方側面１１ａから実際に離隔するように変形したとしても、当初との差異を明確に認識することが難しく、結果として外観品質が損なわれる印象を与えないという効果を奏する。しかも、当初においては、妻樋６０の内方側面１１ａに対して突条部７６が当接しているため、デッキ材１３のたわみ等に起因して外側壁部７１が妻樋６０の内方側面１１ａに近接する方向に力を受けたとしても、当接状態が維持されるだけであり、打音が生じる事態を来すことがない。
【００３８】
なお、上述した実施の形態では、カバー部材８０として樋カバー板８１を有したものを例示しているが、必ずしも樋カバー板８１を有している必要はない。また、妻樋部材７０に上方係止片７８及び下方係止片７９を設け、これら上方係止片７８及び下方係止片７９にカバー部材８０を着脱可能に係止させるようにしているが、本発明は必ずしもこれらの構成に限らない。例えば、カバー部材８０を固定部材１５，１６よりも上方に設けた係止突片８３にのみ係止させるように構成することも可能である。
【符号の説明】
【００３９】
１  バルコニー、１０  デッキ部、１１  妻梁、１１ａ  内方側面、１１ｂ  カバーヒレ部、１３  デッキ材、１５，１６  固定部材、６０  妻樋、７０  妻樋部材、７１  外側壁部、７２  内側壁部、７３  底壁部、７３ａ  排水孔、７４  取付壁部、７５  樋キャップ、７５ａ  上縁、７７  傾斜面、７８  上方係止片、７９  下方係止片、８０  カバー部材、８１  樋カバー板、８２  固定部材カバー板
【図１】
2018017068.tif 000003
【図２】
2018017068.tif 000004
【図３】
2018017068.tif 000005
【図４】
2018017068.tif 000006
【図５】
2018017068.tif 000007
【図６】
2018017068.tif 000008